(57)【特許請求の範囲】
【請求項１】
警報通知メッセージを送信する方法であって、
ターゲットデバイスに位置するターゲット対象の身体特性データを取得することと、
前記ターゲット対象の身体特性データと事前記憶されたターゲットユーザーの身体特性データが事前設定されたマッチング条件を満たさない場合に、第１端末に第１警報通知メッセージを送信することと、
を含み、
前記第１端末に第１警報通知メッセージを送信することは、
ローカルが所属するローカルエリアネットワークにおける現在の接続されている端末の端末識別子を取得し、前記端末識別子に前記第１端末の端末識別子がない場合に、前記第１端末に前記第１警報通知メッセージを送信することと、
前記端末識別子に前記第１端末の端末識別子があり、且つ事前設定された第２端末がオン状態になっている場合に、前記第２端末に前記第１警報通知メッセージを送信することと、
を含むことを特徴とする方法。
【請求項２】
前記ターゲットデバイスに位置するターゲット対象の身体特性データを取得することは、
ターゲットデバイスに位置するターゲット対象の圧力データ、接触面積データ、及び温度データを検出し、前記ターゲット対象の圧力データ、面積データ、及び温度データが、事前設定された身体特性条件を満たす場合に、前記ターゲット対象が人であると判定し、前記ターゲット対象の身体特性データを取得することを含む
ことを特徴とする請求項１に記載の方法。
【請求項３】
前記ターゲット対象の身体特性データと事前記憶されたターゲットユーザーの身体特性データが事前設定のマッチング条件を満たさない場合に、第１端末に第１警報通知メッセージを送信することは、
事前記憶されたターゲットユーザーの身体特性データに対応する身体特性データの範囲を確定することと、
前記ターゲット対象の身体特性データが前記身体特性データ範囲内にない場合に、第１端末に第１警報通知メッセージを送信することと
を含むことを特徴とする請求項１に記載の方法。
【請求項４】
前記方法は、更に、
事前設定された過去の時間内の前記ターゲットユーザーの運動データを取得し、前記事前設定された過去の時間内のターゲットユーザーの運動データに基づき、前記身体特性データの範囲を調整することを含み、
前記ターゲット対象の身体特性データが前記身体特性データ範囲内にない場合に、第１端末に第１警報通知メッセージを送信することは、
前記ターゲット対象の身体特性データが、調整した後の身体特性データ範囲内にない場合に、第１端末に第１警報通知メッセージを送信することを含む
ことを特徴とする請求項３に記載の方法。
【請求項５】
前記方法は、
ターゲット被制御デバイスへ事前設定された制御コマンドを送信することをさらに含む
ことを特徴とする請求項１に記載の方法。
【請求項６】
ターゲット被制御デバイスへ事前設定された制御コマンドを送信することは、
前記第１端末から送信した警報確認メッセージが受信された後に、ターゲット被制御デバイスへ事前設定された制御コマンドを送信することを含む
ことを特徴とする請求項５に記載の方法。
【請求項７】
前記ターゲット被制御デバイスへ事前設定された制御コマンドを送信することは、
監視デバイスにビデオ録画コマンドを送信することを含む
ことを特徴とする請求項５に記載の方法。
【請求項８】
前記ターゲット被制御デバイスへ事前設定された制御コマンドを送信することは、
防犯ドア及び／又は防犯窓にロックコマンドを送信することを含む
ことを特徴とする請求項５に記載の方法。
【請求項９】
前記方法は、
前記第１端末から送信した警報確認メッセージが受信された後に、ローカルが所属する安全保護ネットワークのバックグラウンドサーバーに第２警報通知メッセージを送信することをさらに含む
ことを特徴とする請求項１に記載の方法。
【請求項１０】
警報通知メッセージを送信する装置であって、
ターゲットデバイスに位置するターゲット対象の身体特性データを取得する第１取得モジュールと、
前記ターゲット対象の身体特性データと事前記憶されたターゲットユーザーの身体特性データが事前設定されたマッチング条件に満たさない場合に、第１端末に第１警報通知メッセージを送信する第１送信モジュールと、
を含み、
前記第１送信モジュールは、
ローカルが所属するローカルエリアネットワークにおける現在の接続されている端末の端末識別子を取得し、前記端末識別子に前記第１端末の端末識別子がない場合に、前記第１端末に前記第１警報通知メッセージを送信し、
前記端末識別子に前記第１端末の端末識別子があり、且つ事前設定された第２端末がオン状態になっている場合、前記第２端末に前記第１警報通知メッセージを送信する
ことを特徴とする装置。
【請求項１１】
前記第１取得モジュールは、
ターゲットデバイスに位置するターゲット対象の圧力データ、接触面積データ、及び温度データを検出し、前記ターゲット対象の圧力データ、面積データ、及び温度データが、事前設定された身体特性条件を満たす場合に、前記ターゲット対象が人であると判定し、前記ターゲット対象の身体特性データを取得する
ことを特徴とする請求項１０に記載の装置。
【請求項１２】
前記第１送信モジュールは、
事前記憶されたターゲットユーザーの身体特性データに対応する身体特性データの範囲を確定する確定サブモジュールと、
前記ターゲット対象の身体特性データが前記身体特性データ範囲内にない場合、第１端末に第１警報通知メッセージを送信する送信サブモジュールと
を含むことを特徴とする請求項１０に記載の装置。
【請求項１３】
前記装置は、
事前設定された過去の時間内の前記ターゲットユーザーの運動データを取得し、前記事前設定された過去の時間内のターゲットユーザーの運動データに基づき、前記身体特性データの範囲を調整する第２取得モジュールを更に含み、
前記第１送信モジュールは、前記ターゲット対象の身体特性データが調整後の身体特性データ範囲内にない場合に、第１端末に第１警報通知メッセージを送信する
ことを特徴とする請求項１２に記載の装置。
【請求項１４】
前記装置は、
ターゲット被制御デバイスへ事前設定された制御コマンドを送信する第２送信モジュールをさらに含む
ことを特徴とする請求項１０に記載の装置。
【請求項１５】
前記第２送信モジュールは、
前記第１端末から送信した警報確認メッセージが受信された後に、ターゲット被制御デバイスへ事前設定された制御コマンドを送信する
ことを特徴とする請求項１４に記載の装置。
【請求項１６】
前記第２送信モジュールは、
監視デバイスにビデオ録画コマンドを送信する
ことを特徴とする請求項１４に記載の装置。
【請求項１７】
前記第２送信モジュールは、
防犯ドア及び／又は防犯窓にロックコマンドを送信する
ことを特徴とする請求項１４に記載の装置。
【請求項１８】
前記装置は、
前記第１端末から送信した警報確認メッセージが受信された後に、ローカルが所属する安全保護ネットワークのバックグラウンドサーバーに第２警報通知メッセージを送信する第３送信モジュールをさらに含む
ことを特徴とする請求項１０に記載の装置。
【請求項１９】
警報通知メッセージを送信する装置であって、
プロセッサと、
プロセッサの実行可能なコマンドを記憶しているメモリと、
を含み、
前記プロセッサは、
ターゲットデバイスに位置するターゲット対象の身体特性データを取得し、
前記ターゲット対象の身体特性データと事前記憶されたターゲットユーザーの身体特性データが事前設定されたマッチング条件を満たさない場合、第１端末に第１警報通知メッセージを送信し、
ローカルが所属するローカルエリアネットワークにおける現在の接続されている端末の端末識別子を取得し、前記端末識別子に前記第１端末の端末識別子がない場合に、前記第１端末に前記第１警報通知メッセージを送信し、
前記端末識別子に前記第１端末の端末識別子があり、且つ事前設定された第２端末がオン状態になっている場合、前記第２端末に前記第１警報通知メッセージを送信するように構成された
ことを特徴とする装置。
【発明の詳細な説明】
【技術分野】
【０００１】
本願は、出願番号がＣＮ２０１５１０６５９３８３．８であり、出願日が２０１５年１０月１２日である中国特許出願に基づいて提供され、該中国特許出願の優先権を主張し、該中国特許出願の全ての内容はここで参考として本発明に援用される。
【０００２】
本発明はコンピューター技術分野に関し、特に警報通知メッセージを送信する方法及び装置に関する。
【背景技術】
【０００３】
端末技術の発展に伴い、端末の応用がますます広がり、日常生活との関連もますます緊密になっている。日常生活において、財産の安全は、人々が非常に重視する問題であり、家に防犯ドアを取り付け、他人が家に入りお金や品物を盗難することを防止することは普通である。
【０００４】
防犯ドアには警報装置が設置されている。主人以外の者が該主人の家に入ろうとする時、常に防犯ドアを破壊する。この時、警報装置をトリガーして警報を出し、例えばデシベルが高い警報音を出す。
【０００５】
本発明を実現する過程において、発明者は少なくとも以下の問題があることを発見した。
【０００６】
他人が例えば窓などの別のルートでユーザーの部屋に入る場合に防犯ドアは他人がユーザーの部屋に入ったことを検出できないため、ユーザーの財産の安全性が低くなる。
【発明の概要】
【０００７】
本発明は、かかる技術にある問題を解消するために、警報通知メッセージを送信する方法及び装置を提供している。前記技術的解決手段は以下のとおりである。
【０００８】
本発明の実施例の第１態様によれば、ターゲットデバイスに位置するターゲット対象の身体特性データを取得することと、
前記ターゲット対象の身体特性データと事前記憶されたターゲットユーザーの身体特性データが事前設定されたマッチング条件を満たさない場合に、第１端末に第１警報通知メッセージを送信することと、
を含み、
前記第１端末に第１警報通知メッセージを送信することは、
ローカルが所属するローカルエリアネットワークにおける現在の接続されている端末の端末識別子を取得し、前記端末識別子に前記第１端末の端末識別子がない場合に、前記第１端末に前記第１警報通知メッセージを送信することと、
前記端末識別子に前記第１端末の端末識別子があり、且つ事前設定された第２端末がオン状態になっている場合に、前記第２端末に前記第１警報通知メッセージを送信することと、
を含む警報通知メッセージを送信する方法を提供する。
【０００９】
また、前記ターゲットデバイスに位置するターゲット対象の身体特性データを取得することは、
ターゲットデバイスに位置するターゲット対象の圧力データ、接触面積データ、及び温度データを検出し、前記ターゲット対象の圧力データ、面積データ、及び温度データが、事前設定された身体特性条件を満たす場合に、前記ターゲット対象が人であると判定し、前記ターゲット対象の身体特性データを取得することを含む。
【００１０】
そして、人ではないと判定されたターゲット対象に対し、後続処理を行わないことができることで、ターゲットデバイスの処理量を軽減することができる。
【００１１】
また、前記ターゲット対象の身体特性データと事前記憶されたターゲットユーザーの身体特性データが事前設定されたマッチング条件を満たさない場合に、第１端末に第１警報通知メッセージを送信することは、
事前記憶されたターゲットユーザーの身体特性データに対応する身体特性データの範囲を確定することと、
前記ターゲット対象の身体特性データが前記身体特性データ範囲内にない場合に、第１端末に第１警報通知メッセージを送信することとを含む。
【００１２】
このように、誤判断の可能性を低減させる。
【００１３】
また、前記方法は、更に、
事前設定された過去の時間内の前記ターゲットユーザーの運動データを取得し、前記事前設定された過去の時間内のターゲットユーザーの運動データに基づき、前記身体特性データの範囲を調整することを含み、
前記ターゲット対象の身体特性データが前記身体特性データ範囲内にない場合に、第１端末に第１警報通知メッセージを送信することは、
前記ターゲット対象の身体特性データが調整後の身体特性データ範囲内にない場合に、第１端末に第１警報通知メッセージを送信することを含む。
【００１４】
このように、ユーザーの運動状況に基づいて身体特性データ範囲の変更を確定することができ、ユーザーが不審者であると判定されることを防止できる。
【００１５】
また、前記方法は、
ターゲット被制御デバイスへ事前設定された制御コマンドを送信することをさらに含む。
【００１６】
また、前記ターゲット被制御デバイスへ事前設定された制御コマンドを送信することは、
前記第１端末から送信した警報確認メッセージが受信された後に、ターゲット被制御デバイスへ事前設定された制御コマンドを送信することを含む。
【００１７】
このように、ユーザーの友人又は親戚が不法侵入者であると判定され、誤判断となることを防止できる。
【００１８】
また、前記ターゲット被制御デバイスへ事前設定された制御コマンドを送信することは、
監視デバイスにビデオ録画コマンドを送信することを含む。
【００１９】
このように、不法侵入者に関連する情報を効果的に取得することができる。
【００２０】
また、前記ターゲット被制御デバイスへ事前設定された制御コマンドを送信することは、
防犯ドア及び／又は防犯窓にロックコマンドを送信することを含む。
【００２１】
このようにして、ある程度に不法侵入者の逃走を防止することができる。
【００２２】
また、前記方法は、
前記第１端末から送信した警報確認メッセージが受信された後に、ローカルが所属する安全保護ネットワークのバックグラウンドサーバーに第２警報通知メッセージを送信することをさらに含む。
【００２３】
このようにして、警備担当者に通知することで不法侵入者を捕まえるよう協力し、ユーザー財産の安全性を向上させる。
【００２５】
このように、ユーザーが家にいる時に、他の端末を介してユーザーに知らせることで、ユーザーが早期に警報を受信するようになる。
【００２６】
本発明の実施例の第２態様によれば、警報通知メッセージを送信する装置を提供し、前記装置は、
ターゲットデバイスに位置するターゲット対象の身体特性データを取得する第１取得モジュールと、
前記ターゲット対象の身体特性データと事前記憶されたターゲットユーザーの身体特性データが事前設定されたマッチング条件を満たさない場合に、第１端末に第１警報通知メッセージを送信する第１送信モジュールと
を含み、
前記第１送信モジュールは、
ローカルが所属するローカルエリアネットワークにおける現在の接続されている端末の端末識別子を取得し、前記端末識別子に前記第１端末の端末識別子がない場合に、前記第１端末に前記第１警報通知メッセージを送信し、
前記端末識別子に前記第１端末の端末識別子があり、且つ事前設定された第２端末がオン状態になっている場合、前記第２端末に前記第１警報通知メッセージを送信する。
【００２７】
また、前記第１取得モジュールは、
ターゲットデバイスのターゲット対象の圧力データ、接触面積データ、及び温度データを検出し、前記ターゲット対象の圧力データ、面積データ、及び温度データが事前設定された身体特性条件を満たす場合に、前記ターゲット対象が人でありと判定し、前記ターゲット対象の身体特性データを取得する。
【００２８】
また、前記第１送信モジュールは、
事前記憶されたターゲットユーザーの身体特性データに対応する身体特性データの範囲を確定する確定サブモジュールと、
前記ターゲット対象の身体特性データが前記身体特性データ範囲内にない場合、第１端末に第１警報通知メッセージを送信する送信サブモジュールとを含む。
【００２９】
また、前記装置は、
事前設定された過去の時間内の前記ターゲットユーザーの運動データを取得し、前記事前設定された過去の時間内のターゲットユーザーの運動データに基づき、前記身体特性データの範囲を調整する第２取得モジュールを更に含み、
前記第１送信モジュールは、前記ターゲット対象の身体特性データが調整後の身体特性データ範囲内にない場合に、第１端末に第１警報通知メッセージを送信する。
【００３０】
また、前記装置は、
ターゲット被制御デバイスへ事前設定された制御コマンドを送信する第２送信モジュールをさらに含む。
【００３１】
また、前記第２送信モジュールは、
前記第１端末から送信した警報確認メッセージが受信された後に、ターゲット被制御デバイスへ事前設定された制御コマンドを送信する。
【００３２】
また、前記第２送信モジュールは、
監視デバイスにビデオ録画コマンドを送信する。
【００３３】
また、前記第２送信モジュールは、
防犯ドア及び／又は防犯窓にロックコマンドを送信する。
【００３４】
また、前記装置は、
前記第１端末から送信した警報確認メッセージが受信された後に、ローカルが所属する安全保護ネットワークのバックグラウンドサーバーに第２警報通知メッセージを送信する第３送信モジュールをさらに含む。
【００３６】
本発明の実施例の第３態様によれば、警報通知メッセージを送信する装置を提供し、前記装置は、
プロセッサと、
プロセッサの実行可能なコマンドを記憶しているメモリと、
を含み、
前記プロセッサは、
ターゲットデバイスに位置するターゲット対象の身体特性データを取得し、
前記ターゲット対象の身体特性データと事前記憶されたターゲットユーザーの身体特性データが、事前設定されたマッチング条件に満たさない場合、第１端末に第１警報通知メッセージを送信し、
ローカルが所属するローカルエリアネットワークにおける現在の接続されている端末の端末識別子を取得し、前記端末識別子に前記第１端末の端末識別子がない場合に、前記第１端末に前記第１警報通知メッセージを送信し、
前記端末識別子に前記第１端末の端末識別子があり、且つ事前設定された第２端末がオン状態になっている場合、前記第２端末に前記第１警報通知メッセージを送信する。
【００３７】
本発明の実施例により提供される技術的解決手段は、下記好適な効果を含むことができる。
【００３８】
本発明の実施例において、ターゲットデバイスに位置するターゲット対象の身体特性データを取得し、ターゲット対象の身体特性データと事前記憶されたターゲットユーザーの身体特性データが事前設定されたマッチング条件を満たさない場合、第1端末に第1警報通知メッセージを送信することで、ターゲットユーザー以外の人がターゲットデバイスにいる時、第１端末に第１警報通知メッセージを送信するトリガーを行わせることで、ターゲットユーザーの財産の安全性を向上させる。
【００３９】
理解すべきことは、以上の一般的な説明と後の詳細な説明は例示的なものに過ぎず、本発明を限定するものではない。
【図面の簡単な説明】
【００４０】
ここの図面は明細書に併入され本明細書の一部を構成し、本発明に合わせる実施例を示し、明細書と共に本発明の原理を解釈するためである。図面において、以下を含む。
【図１】一例示的な実施例により示された警報通知メッセージを送信する方法のフローチャートである。
【図２】一例示的な実施例により示された使用場面を示す模式図である。
【図３ａ】一例示的な実施例により示された使用場面を示す模式図である。
【図３ｂ】一例示的な実施例により示された使用場面を示す模式図である。
【図３ｃ】一例示的な実施例により示された使用場面を示す模式図である。
【図３ｄ】一例示的な実施例により示された使用場面を示す模式図である。
【図４】一例示的な実施例により示された適用環境使用場面を示す模式図である。
【図５ａ】例示的な実施例により示された使用場面を示す模式図である。
【図５ｂ】例示的な実施例により示された使用場面を示す模式図である。
【図６】一例示的な実施例により示された使用場面を示す模式図である。
【図７】一例示的な実施例により示された警報通知メッセージを送信する装置を示す模式図である。
【図８】一例示的な実施例により示された警報通知メッセージを送信する装置を示す模式図である。
【図９】一例示的な実施例により示された警報通知メッセージを送信する装置を示す模式図である。
【図１０】一例示的な実施例により示された警報通知メッセージを送信する装置を示す模式図である。
【図１１】一例示的な実施例により示された警報通知メッセージを送信する装置を示す模式図である。
【図１２】一例示的な実施例により示されたターゲットデバイスの構造の模式図である。
【００４１】
上記図面により、既に本発明に開示された実施例が示され、後述でさらに詳しく記述する。これらの図面と文字記述はいずれの方式で本発明の思想の範囲を限定することではなく、特定な実施例を参考することによって当業者へ本発明の概念を説明するためである。
【発明を実施するための形態】
【００４２】
ここで例示的な実施例について詳しく説明し、その実例は図面に示す通りである。下記の説明が図面に関連する時、別途に示されない限り、異なる図面における同じ数字は同じ又は類似する要素を示す。以下の例示的な実施例に説明される実施形態は本発明と一致する全ての実施形態を示すわけではない。逆に、それらは添付の特許請求の範囲に詳細に記載された本発明の一部の態様と一致する装置と方法の例に過ぎない。
【００４３】
本発明の一例示的な実施例は警報通知メッセージを送信する方法を提供し、図１に示すように、該方法の処理フローは以下のステップを含む。
【００４４】
ステップ１０１において、ターゲットデバイスに位置するターゲット対象の身体特性データを取得する。
【００４５】
ステップ１０２において、ターゲット対象の身体特性データと事前記憶されたターゲットユーザーの身体特性データとを比較して事前設定されたマッチング条件を満たさない場合、第１端末に第１警報通知メッセージを送信する。
【００４６】
本発明の実施例において、ターゲットデバイスに位置するターゲット対象の身体特性データを取得し、ターゲット対象の身体特性データと事前記憶されたターゲットユーザーの身体特性データが事前設定されたマッチング条件を満たさない場合、第１端末に第１警報通知メッセージを送信する。このように、ターゲットユーザー以外の人がターゲットデバイスにいる時、第１端末に第１警報通知メッセージを送信するトリガーを行うことで、ターゲットユーザーの財産の安全性を向上させる。
【００４７】
本発明の他の例示的な実施例は警報通知メッセージを送信する方法を提供し、該方法は、人を載置できる機能を有するデバイスである例えばインテリジェントマットレス、スマートチェア又はスマートフロア等のターゲットデバイスに用いられる。本実施例はターゲットデバイスがインテリジェントマットレスである例を挙げて説明する。ターゲットデバイスは、ターゲットデバイスに位置するターゲット対象の身体特性データを取得するセンサーと、ターゲット対象の身体特性データと事前記憶されたターゲットユーザーの身体特性データが事前設定されたマッチング条件を満たすか否かを判断するプロセッサと、上記処理フローに必要なデータ及び生成したデータ、並びにターゲットユーザーの身体特性データを記憶するメモリとを含むことができる。該ターゲットデバイスは、端末に警報通知メッセージを送信し、ターゲット被制御デバイスに送信した制御コマンドを取得する送受信機をさらに含むことができる。外ターゲットデバイスは、更に電源等の部品を含むことができる。
【００４８】
以下は実施形態を結合して、図１に示すような処理フローに対して詳しく説明し、内容は以下の通りである。
【００４９】
ステップ１０１において、ターゲットデバイスに位置するターゲット対象の身体特性データを取得する。
【００５０】
ここで、身体特性データは、人の身体特性を反映するためである。身体特性データは、圧力データと、接触面積データと、を含んでも良く、さらに温度データと重量データ等を含んでもいい。
【００５１】
実施例において、インテリジェントマットレスには複数の検出点を設置することができ、各検出点に対応して例えば圧力センサーと温度センサー等であるセンサーを設置することができる。これらの検出点は図２に示すように、インテリジェントマットレスに均一に配置される。インテリジェントマットレスは、ターゲット対象（例えば品物又は人）がインテリジェントマットレスにいる時、センサーを介してインテリジェントマットレスにいるターゲット対象の身体特性データを検出することができ、例えば圧力センサーを介してターゲット対象がインテリジェントマットレスに与える圧力を検出する。インテリジェントマットレスは、さらに検出した圧力データを介してターゲット対象の重量を算出し、ターゲット対象の重量データを取得することができる。また、インテリジェントマットレスがターゲット対象の圧力データを検出する時、圧力が最も大きい若干のデータを取得し、平均値を算出し、縁の数値が小さい圧力データを無視することができる。
【００５２】
インテリジェントマットレスは、ターゲット対象とインテリジェントマットレスとの接触面積データを検出することができる。インテリジェントマットレスは測定した身体特性データの検出点の数（第１数とも称する）を統計して、その後に第１数と検出点の総数の比率を計算することができる。インテリジェントマットレスは、自身の総面積を取得し、自身の総面積に該比率を乗じ、ターゲット対象の接触面積データを得ることができる。又は、インテリジェントマットレスは、各検出点が示す面積を事前に記憶し、検出した身体特性データの検出点の数に該面積を乗じ、ターゲット対象の接触面積データを得ることができる。設置された各検出点が示す面積の設置方式は様々であり、インテリジェントマットレスの総面積は検出点の総数で割り、各検出点が示す面積データを得ることができる。また、検出点の位置に従い、各検出点に面積データを設置することもでき、例えば、インテリジェントマットレスの上表面の検出点の面積を大きい数値に設置し、上表面の縁の検出点の面積を小さい数値に設置する。インテリジェントマットレスはターゲット対象の圧力データと面積データを検出した後、圧力データと面積データの比率をさらに計算し、ターゲット対象の単位面積当たりにかかる圧力データを取得できる。
【００５３】
また、インテリジェントマットレスはさらにターゲット対象の接触面積形状を検出することができる。例えば、インテリジェントマットレスの検出点の数が非常に多い場合に、インテリジェントマットレスは検出した圧力データ及び／又は重量データの検出点の位置に基づき、ターゲット対象の接触面積形状を確定することができる。
【００５４】
また、ターゲット対象が人であるか否かを判断することができ、対応的には、ステップ１０１の処理フローは以下の通りである。ターゲットデバイスのターゲット対象の圧力データ、接触面積データと温度データを検出し、ターゲット対象の圧力データ、面積データと温度データが事前設定の身体特性条件を満たす場合、ターゲット対象を人と判定し、ターゲット対象の身体特性データを取得する。
【００５５】
実施例において、インテリジェントマットレスは、圧力数値範囲、接触面積数値範囲と温度数値範囲を含む人の身体特性条件を事前記憶することができる。例えば、人のインテリジェントマットレスに対する圧力数値範囲は５００Ｎ〜２５００Ｎであり、インテリジェントマットレスとの接触面積数値範囲は１０ｃｍ2〜１ｍ2であり、温度数値範囲は３０℃〜３７℃である。また、インテリジェントマットレスはさらに人のインテリジェントマットレスに対する単位面積当たりにかかる圧力数値範囲を事前記憶することができる。インテリジェントマットレスはインテリジェントマットレスに位置するターゲット対象の圧力データ、接触面積データと温度データを検出することができ、その後にターゲット対象の圧力データが人の圧力データ範囲内にあるか否かを判断し、ターゲット対象の接触面積データが人の接触面積データ範囲内にあるか否かを判断し、ターゲット対象の温度データが人の温度数値範囲内にあるか否かを判断することができる。インテリジェントマットレスはさらにターゲット対象の単位面積当たりにかかる圧力データを判断することができ、ターゲット対象の単位面積当たりにかかる圧力データが人の単位面積当たりにかかる圧力数値範囲内にあるか否かを判断する。ターゲット対象の圧力データ、接触面積データ、温度データと単位面積当たりにかかる圧力データがいずれも対応する数値範囲内にある場合、ターゲット対象を人と判定することができ、その後にターゲット対象の身体特性データを取得することができる。
【００５６】
ステップ１０２において、ターゲット対象の身体特性データと事前記憶したターゲットユーザーの身体特性データが事前設定のマッチング条件を満たさない場合、第１端末に第１警報通知メッセージを送信する。
【００５７】
ここで、第１端末は、例えば携帯電話又はリストバンド等のユーザーが携帯する携帯型インテリジェントデバイスであってもいい。
【００５８】
実施例において、インテリジェントマットレスはターゲットユーザーの身体特性データを事前記憶することができる。インテリジェントマットレスは、ターゲットユーザーが異なる姿勢でインテリジェントマットレスにいる時の、対応する圧力データと接触面積データ等を事前記憶することができる。インテリジェントマットレスは、検出した圧力データと接触面積データに基づき、単位面積当たりにかかる圧力データを計算し、単位面積当たりにかかる圧力データを対応的に記憶することができる。また、インテリジェントマットレスは、さらに、ある姿勢で検出した複数の接触面積の位置関係及び接触面積形状を記憶でき、検出した複数の接触面積の位置関係、接触面積データ及び接触面積形状に基づき、対応する圧力データを取得し、その後にマッチングすることができる。
【００５９】
一つの姿勢で検出された圧力データ、接触面積データと単位面積当たりにかかる圧力データ等の身体特性データに対し、一組の身体特性データと称することができる。例えば、図３ａに示すように、ターゲットユーザーがインテリジェントマットレスに横になっている時に、検出された圧力データ、接触面積データと接触面積形状を記憶することができる。又は、図３ｂに示すように、ターゲットユーザーがインテリジェントマットレスに立っている時に、検出された圧力データ、接触面積データと接触面積形状を記憶することができる。ここで、検出した二つの接触面積の位置関係は、距離が足の長さの２倍より短いということである。さらに、図３ｃに示すように、ターゲットユーザーが両手両足でインテリジェントマットレスに腹ばいになっている時に、検出された圧力データ、接触面積データと接触面積形状を記憶することができる。ここで、検出した四つの接触面積の位置関係は、手と足の距離が身長より短いということである。さらに図３ｄに示すように、ターゲットユーザーがインテリジェントマットレスに座っている時の身体特性データを記憶することができる。また、ターゲットユーザーの姿勢は、片足でインテリジェントマットレスに立ち、又は両足と片手でインテリジェントマットレスに接触し、又は片足と両手でインテリジェントマットレスに接触する等である。
【００６０】
インテリジェントマットレスは、異なる身長と体重の人が異なる姿勢でインテリジェントマットレスにいる時に、検出された身体特性データを事前記憶していることができる。ターゲットユーザーはインテリジェントマットレスの制御部品に自身の身長と体重を入力できる。インテリジェントマットレスは、事前記憶された異なる身長と体重の人が異なる姿勢でインテリジェントマットレスにいる時に検出された身体特性データ、及びターゲットユーザーの身長と体重のデータに基づき、ターゲットユーザーが異なる姿勢でインテリジェントマットレスにいる時の、対応的な身体特性データを計算する。また、ターゲットユーザーは、インテリジェントマットレスに異なる姿勢をすることができる。それに対応して、インテリジェントマットレスは、対応的な身体特性データを検出し、記憶することができる。
【００６１】
インテリジェントマットレスは、ターゲット対象の身体特性データを取得した後、該身体特性データとターゲットユーザーの複数の身体特性データを比較し、両者の差値を計算し、身体特性データに複数の種類のデータが含まれる場合、各種類のデータの差値をそれぞれ計算することができる。計算された差値がいずれも事前設定の閾値より小さい場合、ターゲット対象の身体特性データとターゲットユーザーの身体特性データがマッチング条件を満たすと判定することができ（即ちターゲット対象がターゲットユーザーである）、第１端末に第１警報メッセージを送信しないことができる。計算された差値がいずれも事前設定の閾値より小さいことでない場合、ターゲット対象の身体特性データとターゲットユーザーの身体特性データがマッチング条件を満たさないと判定することができ（即ちターゲット対象がターゲットユーザーではない）、第１端末に第１警報メッセージを送信することができる。第１警報メッセージの形式は様々であり、例えばショートメッセージ、又はプッシュメッセージの形式であり、図４に示すように、第１警報メッセージは、現在不審者が家に侵入していることをユーザーに警告するためであっていい。
【００６２】
また、身体特性データ範囲に基づき判断することができ、対応的に、ステップ１０２の処理フローが以下のようになることができる。事前記憶したターゲットユーザーの身体特性データに対応する身体特性データ範囲を確定し、ターゲットユーザーの身体特性データが身体特性データ範囲に存在しない場合、第１端末に第１警報通知メッセージを送信する。
【００６３】
実施例において、インテリジェントマットレスは、ターゲットユーザーの身体特性データを取得した後、ターゲットユーザーの身体特性データに対応する身体特性データ範囲を確定し、記憶する。例えば、ターゲットユーザーの圧力データが８００Ｎである場合に、対応する圧力データ範囲が７９０Ｎ〜８１０Ｎであることを確定できる。インテリジェントマットレスは、ターゲット対象の身体特性データを取得した後、ターゲット対象の身体特性データが上記身体特性データ範囲内にあるか否かを判断することができる。身体特性データに複数の種類のデータが含まれている場合に、各種のデータが対応するターゲットユーザーの身体特性データ範囲内にあるか否かをそれぞれ判断することができる。例えば、圧力データがターゲットユーザーの圧力データ範囲内にあるか否か、面積データがターゲットユーザーの面積データ範囲内にあるか否かをそれぞれ判断することができる。身体特性データに含まれている各データがいずれも対応する身体特性データ範囲内にあると判定された場合、ターゲット対象の身体特性データとターゲットユーザーの身体特性データがマッチング条件を満たすと確定し、第１端末に第１警報メッセージを送信しないことができる。身体特性データに含まれている各データがいずれも対応する身体特性データ範囲内にないと判定された場合、ターゲット対象の身体特性データとターゲットユーザーの身体特性データがマッチング条件を満たさないと確定し、第１端末に第１警報メッセージを送信することができる。第１警報メッセージの形は様々であり、例えばショートメッセージ形式、又はプッシュメッセージ形式である。図６に示すように、第１警報メッセージは、現在不審者が家に侵入していることをユーザーに警告するためである。
【００６４】
また、ユーザーの運動状況に基づき、ユーザーの身体特性データ範囲を調整することができる。対応する処理フローは以下のようである。事前設定された過去の時間内のターゲットユーザーの運動データを取得し、事前設定された過去の時間内のターゲットユーザーの運動データに基づき、身体特性データの範囲を調整する。
【００６５】
実施例において、インテリジェントマットレスは、事前設定された過去の時間内のターゲットユーザーの運動データを取得することができる。運動データは運動時間、運動種類と運動強度等を含むことができる。インテリジェントマットレスはウェアラブルスマートデバイス（例えばスマートリストバンド）を介してターゲットユーザーの運動データを取得することができ、ターゲットユーザーがインテリジェントマットレスの入力ユニットを介して運動データを入力することができる。インテリジェントマットレスは、異なる運動に対して異なる重み付けをそれぞれ設置することができ、例えば、ジョギングに対応する重み付けは５であり、ウオーキングに対応する重み付けは２であり、腹筋運動に対応する重み付けは４であり、器械トレーニングに対応する重み付けは３である。インテリジェントマットレスは、各種運動の運動時間に該運動種類に対応する重み付けを乗じ、その後運動強度を乗じ、ターゲットユーザーの事前設定された過去の時間内の総運動数値を取得する。インテリジェントマットレスは運動数値と身体特性データ範囲の調整値の対応関係を事前記憶することができ、その後該総運動数値に対応する身体特性データ範囲の調整値を確定することができる。調整値は具体的な数値でもよく、比率でもよい。例えば、ターゲットユーザーの重量データ範囲は７０ｋｇ〜７２ｋｇであり、総運動数値は５５０であり、対応する身体特性データ範囲の調整値は−２ｋｇである場合に、調整後の重量データ範囲を６８ｋｇ〜７０ｋｇに確定することができる。
【００６６】
また、上記身体特性データ範囲を調整する状況に対し、相応的に、ステップ１０２の処理フローは以下のようである。ターゲット対象の身体特性データが調整後の身体特性データ範囲に属さない場合、第１端末に第１警報通知メッセージを送信する。
【００６７】
また、インテリジェントマットレスは、ターゲット対象がターゲットユーザーではないと判定した後に、ターゲット被制御デバイスへ事前設定された制御コマンドを送信することができる。
【００６８】
実施例において、ターゲット被制御デバイスは、例えば防犯ドア、防犯窓等のセキュリティ装置であってもよく、例えばカメラ、録音装置等のモニタリングデバイスであってもよく、例えばスマートテレビ、タブレットパソコン等の表示機能を有するデバイスであってもよい。インテリジェントマットレスは、ターゲット対象の身体特性データと事前記憶のターゲットユーザーの身体特性データがマッチング条件を満たさないと判定した後、ユーザー財産の安全性を向上させるように、ターゲット被制御デバイスに事前設定の制御コマンドを送信することができる。
【００６９】
また、ターゲットユーザーは制御コマンドを送信するか否かを決定することができる。対応する処理フローは以下のようである。第１端末から送信された警報確認メッセージを受信した後、ターゲット被制御デバイスに事前設定の制御コマンドを送信する。
【００７０】
実施例において、インテリジェントマットレスは、ターゲット対象の身体特性データと事前記憶されているターゲットユーザーの身体特性データが事前設定されたマッチング条件を満たさないと判定された場合に、第１端末（例えば携帯電話又はリストバンド等）に第１警報通知メッセージを送信する。第１警報通知メッセージには、警報確認オプションと警報解除オプションを設置していることができる。ターゲットユーザーが第１警報通知メッセージを見る時に、警報を出すか否かを選択することができる。ターゲットユーザーが警報を出すことを選択した場合、警報確認オプションをクリックし、ターゲット端末がインテリジェントマットレスに警報確認メッセージを送信し、インテリジェントマットレスが警報確認メッセージを受信した後に、ターゲット被制御デバイスへ事前設定された制御コマンドを送信することができる。ターゲットユーザーが警報解除を選択した場合に、警報解除オプションをクリックし、ターゲット端末がインテリジェントマットレスに警報解除メッセージを送信し、インテリジェントマットレスが警報解除メッセージを受信した後に、ターゲット被制御デバイスに事前設定の制御コマンドを送信することを取り消すことができる。
【００７１】
また、ターゲット被制御デバイスはモニタリングデバイスであってもよく、対応する処理フローは以下のとおりである。モニタリングデバイスにビデオ録画コマンドを送信する。
【００７２】
実施例において、インテリジェントマットレスは、ターゲット対象の身体特性データと事前記憶されたターゲットユーザーの身体特性データが事前設定されたマッチング条件を満たさないと判定した後、ブルートゥース又はルーターを介してモニタリングデバイスにビデオ録画コマンドを送信することができる。モニタリングデバイスがビデオ記録コマンドを受信した後、ビデオ録画機能を起動することができ、ビデオ録画を行い、録画したビデオを記憶することもできる。
【００７３】
好ましくは、ターゲット被制御デバイスは防犯ドア及び／又は防犯窓であってもよく、対応する処理フローは以下のとおりである。防犯ドア及び／又は防犯窓にロックコマンドを送信する。
【００７４】
実施例において、インテリジェントマットレスはターゲット対象の身体特性データと事前記憶されたターゲットユーザーの身体特性データが事前設定されたマッチング条件を満たさないと判定した後、ブルートゥース又はルーターを介して防犯ドア及び防犯窓にロックコマンドを送信することができる。防犯ドア及び防犯窓がロックコマンドを受信した後、ロック機能を起動し、例えばドア開け機能を閉じ又は窓開け機能を閉じ、この時、部屋の中の人は防犯ドア又は防犯窓を介して外へ出ることができず、例えば図５ａ、図５ｂに示すようになる。
【００７５】
好ましくは、さらに安全保護ネットワークに警報通知メッセージを送信することができ、対応する処理フローは以下のとおりである。第１端末から送信した警報確認メッセージが受信された後、ローカルが所属する安全保護ネットワークのバックグラウンドサーバーに第２警報通知メッセージを送信する。
【００７６】
実施例において、ターゲットユーザーが所属する団地には安全保護ネットワークが設置され、該団地のユーザーは該安全保護ネットワークを介して警報通知メッセージを送信することができる。インテリジェントマットレスは、第１端末から送信した警報確認メッセージを受信した後、ローカルが所属する安全保護ネットワークの識別子を取得することができ、その後該安全保護ネットワークのバックグラウンドサーバーに第２警報通知メッセージを送信することができ、第２警報通知メッセージが事前設定のプロトコルに従って警報通知メッセージを生成し、前記警報通知メッセージがネットワークアドレス、又は事前記憶された団地アドレス（例えば建物番号と家の番号）のような位置識別子を付けることができる。該安全保護ネットワークは、第２警報通知メッセージを受信した後、事前記憶された端末識別子に基づき、対応する端末に警報を送信し、該端末は当該団地の警備員が使用する端末であってもよく、例えば携帯電話又はコンピューター等である。
【００７７】
また、まず、ターゲットユーザーが家にいるか否かを判断し、その後警報通知メッセージを送信することができる。対応的に、ステップ１０２の処理フローは以下の通りである。ローカルが所属するローカルエリアネットワークにおける現在の接続されている端末の端末識別子を取得し、端末識別子に第１端末の端末識別子がない場合、第１端末に第１警報通知メッセージを送信する。
【００７８】
実施例において、インテリジェントマットレスは、所属するローカルエリアネットワークのルーターに端末識別子取得リクエストを送信する。ルーターが端末識別子取得リクエストを受信した後にローカルの現在接続されている端末の端末識別子をインテリジェントマットレスに送信することができ、その後受信した端末識別子において、第１端末の端末識別子があるか否かを調べ、受信した端末識別子に第１端末の端末識別子がない場合、ターゲットユーザーが現在家にないことを説明し、第１端末に第１警報通知メッセージを送信することができる。
【００７９】
また、ターゲットユーザーが家にいる場合に、対応する処理方式は以下のとおりである。ローカルが所属するローカルエリアネットワークにおける現在の接続されている端末の端末識別子を取得し、端末識別子に第１端末の端末識別子があり、事前設定の第２端末がオン状態になっている場合に、第２端末に第１警報通知メッセージを送信する。
【００８０】
実施例において、インテリジェントマットレスは、受信された端末識別子において、第１端末の端末識別子があるか否かを調べ、受信された端末識別子に、第１端末の端末識別子が検索された場合に、ターゲットユーザーが現在家にいると確定し、第２端末がオン状態であるか否かを判断することができる。第２端末は第１端末を除き、他の表示又は音声プロンプト機能を有する端末であり、第２端末はスマートテレビ、タブレットパソコン又はスマートエアコン等であることができる。インテリジェントマットレスはブルートゥース（登録商標）部品を介して第２端末に検索コマンドを送信することができ、第２端末から送信されたフィードバックメッセージを受信した場合に、第２端末がオン状態になっていることを判定できる。インテリジェントマットレスが第２端末のオン状態であると判定された場合、第２端末に第１警報通知メッセージを送信することができ、第２端末が第１警報通知メッセージを受信した後に該第１警報通知メッセージの内容を表示することができ、図６示すように、音声信号を出力する方式により、第１警報通知メッセージの内容を出力することもできる。
【００８１】
本発明の実施例において、ターゲットデバイスに位置するターゲット対象の身体特性データを取得し、ターゲット対象の身体特性データと事前記憶されたターゲットユーザーの身体特性データが事前設定されたマッチング条件を満たさない場合に、第１端末に第１警報通知メッセージを送信し、この場合に、ターゲットユーザー以外の人物がターゲットデバイスにいる時に、第１端末に第１警報通知メッセージを送信するトリガーを行わせることで、ターゲットユーザーの財産の安全性を向上させる。
【００８２】
本発明の他の例示的な実施例は、さらに警報通知メッセージを送信する装置を提供し、図７に示すように、該装置は、
ターゲットデバイスに位置するターゲット対象の身体特性データを取得する第１取得モジュール７１０と、
前記ターゲット対象の身体特性データと事前記憶されたターゲットユーザーの身体特性データが事前設定のマッチング条件を満たさない場合に、第１端末に第１警報通知メッセージを送信する第１送信モジュール７２０とを含む。
【００８３】
また、前記第１取得モジュール７１０は、
ターゲットデバイスにいるターゲット対象の圧力データ、接触面積データ、及び温度データを測定し、前記ターゲット対象の圧力データ、面積データ、及び温度データが事前設定された身体特性条件を満たす場合に、前記ターゲット対象が人物であると判定し、前記ターゲット対象の身体特性データを取得する。
【００８４】
また、図８に示すように、前記第１送信モジュール７２０は、
事前記憶されたターゲットユーザーの身体特性データに対応する身体特性データの範囲を確定する確定サブモジュール７２１と、
前記ターゲット対象の身体特性データが前記身体特性データ範囲にない場合に、第１端末に第１警報通知メッセージを送信する送信サブモジュール７２２とを含む。
【００８５】
また、図９に示すように、前記装置は、
事前設定された過去の時間内の前記ターゲットユーザーの運動データを取得し、前記事前設定された過去の時間内のターゲットユーザーの運動データに基づき、前記身体特性データの範囲を調整する第２取得モジュール７３０と、
前記ターゲット対象の身体特性データが調整後の身体特性データ範囲にない場合に、第１端末に第１警報通知メッセージを送信する前記第１送信モジュール７２０とをさらに含む。
【００８６】
また、図１０に示すように、前記装置は、
ターゲット被制御デバイスへ事前設定された制御コマンドを送信する第２送信モジュール７４０をさらに含む。
【００８７】
また、前記第２送信モジュール７４０は、
前記第１端末から送信した警報確認メッセージが受信された後に、ターゲット被制御デバイスへ事前設定された制御コマンドを送信する。
【００８８】
また、前記第２送信モジュール７４０は、
監視デバイスにビデオ録画コマンドを送信する。
【００８９】
また、前記第２送信モジュール７４０は、
防犯ドア及び／又は防犯窓へロックコマンドを送信する。
【００９０】
また、図１１に示すように、前記装置は、
前記第１端末から送信した警報確認メッセージが受信された後に、ローカルが所属する安全保護ネットワークのバックグラウンドサーバーに第２警報通知メッセージを送信する第３送信モジュール７５０をさらに含む。
【００９１】
また、第１送信モジュール７２０は、
ローカルが所属するローカルエリアネットワークにおける現在の接続されている端末の端末識別子を取得し、前記端末識別子に前記第１端末の端末識別子がない場合に、前記第１端末へ第１警報通知メッセージを送信する。
【００９２】
前記第１送信モジュール７２０は、さらに、
ローカルが所属するローカルエリアネットワークにおける現在の接続されている端末の端末識別子を取得し、前記端末識別子に前記第１端末の端末識別子があり、且つ事前設定された第２端末がオン状態になっている場合に、前記第２端末に前記第１警報通知メッセージを送信する。
【００９３】
上記実施例における装置は、そのうちの各モジュールの操作を実行する具体的な方式は既に該方法に関連する実施例において詳しく説明されたため、ここでは詳しい説明を省略する。
【００９４】
本発明の実施例において、ターゲットデバイスに位置するターゲット対象の身体特性データを取得し、ターゲット対象の身体特性データと事前記憶されたターゲットユーザーの身体特性データが事前設定されたマッチング条件を満たさない場合に、第１端末に第１警報通知メッセージを送信することで、ターゲットユーザー以外の人がターゲットデバイスにいる時に、第１端末に第１警報通知メッセージを送信するトリガーを行わせることで、ターゲットユーザーの財産の安全性を向上させる。
【００９５】
なお、上記実施例に提供される警報通知メッセージを送信する装置は警報通知メッセージを送信する時に、上記各機能モジュールの区分の例のみを挙げて説明し、実際の適用に、必要に応じて上記機能が異なる機能モジュールにより完成されることができ、即ち上記記述の全部又は一部機能を完成するように、設備の内部構造を異なる機能モジュールに区切る。また、上記実施例により提供される警報通知メッセージを送信する装置は警報通知メッセージを送信する方法の実施例と同一な思想に属し、その具体的な実施過程は方法の実施例を詳しく参考し、ここでその説明を省略する。
【００９６】
本発明の他の例示的な実施例はターゲットデバイスの構造図を提供する。該ターゲットデバイスはインテリジェントマットレス等であることができる。
【００９７】
図１２に示すように、ターゲットデバイス８００は処理部８０２、カメラ部８０４、電源部８０６、マルチメディア部８０８、オーディオ部８１０、入力／出力（Ｉ／Ｏ）インターフェース８１２、センサー部８１４、及び通信部８１６の一つ又は複数の部材を含むことができる。
【００９８】
処理部８０２は、一般的にターゲットデバイス８００の全体的操作、例えば、表示、電話の呼び出し、データ通信、カメラ操作及び記録操作に関連する操作を制御する。処理部８０２は、上記方法の全部又は一部のステップを完成するように、コマンドを実行する一つ又は複数のプロセッサ８１８を含むことができる。なお、処理部８０２は、その他の部材との間のインタラクションを行うための一つ又は複数のモジュールを含むことができる。例えば、処理部８０２は、マルチメディア部８０８と処理部８０２とのインタラクションを行うマルチメディアモジュールを含むことができる。
【００９９】
メモリ８０４は、ターゲットデバイス８００の操作を支持するように、各タイプのデータを記憶しているように構成される。これらのデータの例はターゲットデバイス８００に操作される全てのアプリケーション又は方法コマンド、連絡先データ、電話帳データ、メッセージ、画像、ビデオ等を含む。メモリ８０４は任意のタイプの揮発性又は不揮発性記憶装置又はそれらの組合わせにより実現することができ、例えば、スタティックランダムアクセスメモリー（ＳＲＡＭ、ｓｔａｔｉｃ  ｒａｎｄｏｍ  ａｃｃｅｓｓ  ｍｅｍｏｒｙ）、電気的消去可能なプログラム可能な読み取り専用メモリー（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラム可能な読み取り専用メモリー（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラム可能な読み取り専用メモリー（ＰＲＯＭ、Ｐｒｏｇｒａｍｍａｂｌｅ  Ｒｅａｄ  Ｏｎｌｙ  Ｍｅｍｏｒｙ）、読み取り専用メモリー（ＲＯＭ、Ｒｅａｄ  Ｏｎｌｙ  Ｍｅｍｏｒｙ）、磁気メモリー、フラッシュメモリー、磁気ディスク又は光ディスクにより実現することができる。
【０１００】
電源部８０６は、装置８００の様々な部材へ電力を提供する。電源部８０６は、電源管理システム、一つ又は複数の電源、及びその他のオーディオ出力装置８００に対する電力の生成、管理及び分割に関連する部材を含むことができる。
【０１０１】
マルチメディア部８０８は、前記ターゲット装置８００とユーザの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザからの入力信号を受信するように、スクリーンがタッチパネルとして実現してもいい。タッチパネルは、タッチ、スワイプ及びタッチパネルに対するジェスチャーを検知するための一つ又は複数のタッチセンサーを含む。前記タッチセンサーは、タッチ又はスワイプ動作の境界を検知するのみでなく、前記タッチ又はスワイプの動作に関連する持続時間及び圧力を検出することができる。一部の実施例において、マルチメディア部８０８は、フロントカメラ及び／又はバックカメラを含む。ターゲット装置８００が、例えば撮影モード又はビデオモードである操作モードにある場合に、フロントカメラ及び／又はバックカメラは外部からのマルチメディアデータを受信することができる。各フロントカメラ及びバックカメラは、固定された光学レンズシステムであり、又は焦点距離と光学ズーム能力を有してもいい。
【０１０２】
オーディオ部８１０は、オーディオ信号を出力及び／又は入力するように構成される。例えば、オーディオ部８１０は、マイクロフォン（ＭＩＣ）を含んでいる。マイクロフォンは、装置８００が例えば呼び出しモード、記録モード、音声認識モードである操作モードにある場合に、外部のオーディオ信号を受信するように構成される。受信されたオーディオ信号は、さらにメモリー８０４に記憶され、又は通信部８１６を介して送信される。
【０１０３】
Ｉ／Ｏインタフェース８１２は、処理部８０２と周辺インタフェースモジュールの間にインタフェースを提供する。上記周辺インタフェースモジュールは、キーボード、クリックホイール、ボタンなどであってもよい。これらのボタンは、ホームボタン、ボリュームボタン、スタートボタン及びロックボタンを含んでもいいが、それに限定されない。
【０１０４】
センサー部８１４は、ターゲット装置８００へ各方面からの状態評価を提供する一つ又は複数のセンサーを含んでいる。センサー部８１４は、例えば、ターゲット装置８００のオン／オフ状態、例えばターゲット装置８００のディスプレイ及びキーパッドである部品の相対的位置決めを検出することができ、さらにターゲット装置８００又はターゲット装置８００の一つの部品の位置変化、ユーザとターゲット装置８００の接触の有無、ターゲット装置８００の方位又は加速／減速、及びターゲット装置８００の温度変化を検出することができる。センサー部８１４は、物理的接触がない時、近傍物体の存在を検出する近接センサーを含んでいるように構成される。センサー部８１４は、さらに、例えばＣＭＯＳ又はＣＣＤイメージセンサーなどの、イメージングアプリケーションに用いられる光学センサーを含むことができる。一部の実施例において、該センサー部８１４は、さらに加速度センサー、ジャイロセンサー、磁気センサー、圧力センサー又は温度センサーを含むことができる。
【０１０５】
通信部８１６は、ターゲット装置８００とその他の装置との間の有線又は無線方式による通信ためのであるように構成される。装置８００は、通信標準に基づく例えば、Ｗｉ−Ｆｉ（登録商標）、２Ｇ又は３Ｇ、又はそれらの組み合わせの無線ネットワークにアクセスすることができる。一例示的な実施例において、通信部８１６は、放送チャネルを介して外部放送管理システムからの放送信号又は放送関連情報を受信する。一例示的な実施例において、前記通信部８１６は、さらに狭域通信を促進するための近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（登録商標）（ＢＴ）及びその他の技術により実現することができる。
【０１０６】
一例示的な実施例において、ターゲット装置８００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現され、上記ユーザの方法を実行するためである。
【０１０７】
例示的な実施例において、さらにコマンドの非一時的なコンピュータ読み取り可能な記憶媒体を含み、例えばターゲットデバイス８００のプロセッサ８２０に実行されて上記方法を完成するコマンドを含みメモリ８０４である。例えば、前記非一時的なコンピュータ読み取り可能な記憶媒体はＲＯＭ、ランダムアクセスメモリ（ＲＡＭ）、ＣＤ−ＲＯＭ、磁気テープ、フロッピーディスク（登録商標）と光学データ記憶装置等であってもいい。
【０１０８】
非一時的なコンピュータ読み取り可能な記憶媒体であって、前記記憶媒体におけるコマンドがターゲットデバイスのプロセッサにより実行される場合、ターゲットデバイスに上記方法を実行させることができ、該方法は、
ターゲットデバイスに位置するターゲット対象の身体特性データを取得することと、
前記ターゲット対象の身体特性データと事前記憶されたターゲットユーザーの身体特性データが事前設定されたマッチング条件を満たさない場合に、第１ターゲットデバイスに第１警報通知メッセージを送信することとを含む。
【０１０９】
また、前記ターゲットデバイスに位置するターゲット対象の身体特性データを取得することは、
ターゲットデバイスに位置するターゲット対象の圧力データ、接触面積データ、及び温度データを検出し、前記ターゲット対象の圧力データ、面積データ、及び温度データが事前設定された身体特性条件を満たす場合、前記ターゲット対象が人であると判定し、前記ターゲット対象の身体特性データを取得することを含む。
【０１１０】
また、前記ターゲット対象の身体特性データと事前記憶されたターゲットユーザーの身体特性データが事前設定されたマッチング条件を満たさない場合に、第１ターゲットデバイスに第１警報通知メッセージを送信することは、
事前記憶されたターゲットユーザーの身体特性データに対応する身体特性データの範囲を確定することと、
前記ターゲット対象の身体特性データが前記身体特性データ範囲にない場合に、第１端末に第１警報通知メッセージを送信することとを含む。
【０１１１】
また、前記方法は、
事前設定された過去の時間内の前記ターゲットユーザーの運動データを取得し、前記事前設定された過去の時間内のターゲットユーザーの運動データに基づき、前記身体特性データの範囲を調整することを更に含み、
前記ターゲット対象の身体特性データが前記身体特性データ範囲にない場合に、第１端末に第１警報通知メッセージを送信することは、前記ターゲット対象の身体特性データが調整した後の身体特性データ範囲にない場合に、第１端末に第１警報通知メッセージを送信することを含む。
【０１１２】
また、前記方法は、
ターゲット被制御デバイスに事前設定の制御コマンドを送信することをさらに含む。
【０１１３】
また、前記ターゲット被制御デバイスに事前設定の制御コマンドを送信することは、
前記第１端末から送信した警報確認メッセージが受信された後に、ターゲット被制御デバイスへ事前設定された制御コマンドを送信することを含む。
【０１１４】
また、前記ターゲット被制御デバイスへ事前設定された制御コマンドを送信することは、
監視デバイスにビデオ録画コマンドを送信することを含む。
【０１１５】
また、前記ターゲット被制御デバイスへ事前設定された制御コマンドを送信することは、
防犯ドア及び／又は防犯窓にロックコマンドを送信することを含む。
【０１１６】
また、前記方法は、
前記第１端末から送信した警報確認メッセージが受信された後に、ローカルが所属する安全保護ネットワークのバックグラウンドサーバーに第２警報通知メッセージを送信することをさらに含む。
【０１１７】
また、前記第１端末に第１警報通知メッセージを送信することは、
ローカルが所属するローカルエリアネットワークにおける現在の接続されている端末の端末識別子を取得し、前記端末識別子に前記第１端末の端末識別子がない場合に、前記第１端末に第１警報通知メッセージを送信することを含み、
さらに、ローカルが所属するローカルエリアネットワークにおける現在の接続されている端末の端末識別子を取得し、前記端末識別子に前記第１端末の端末識別子があり、且つ事前設定の第２端末がオン状態になっている場合に、前記第２端末に前記第１警報通知メッセージを送信することを含む。
【０１１８】
本発明の実施例において、ターゲットデバイスに位置するターゲット対象の身体特性データを取得し、ターゲット対象の身体特性データと事前記憶されたターゲットユーザーの身体特性データが事前設定されたマッチング条件を満たさない場合に、第１端末に第１警報通知メッセージを送信することで、ターゲットユーザー以外の人がターゲットデバイスにいる時に、第１端末に第１警報通知メッセージを送信するトリガーを行われることで、ターゲットユーザーの財産の安全性を向上させる。
【０１１９】
当業者であれば、明細書を考慮しここに開示された発明を実践した後、本公開のその他の実施態様を容易に想到できる。本発明は、本公開の如何なる変形、用途又は適応的変化を含むためのものであり、これらの変形、用途又は適応的変化は本発明の一般的な原理に準じ、本発明の開示されていない当該技術分野における周知知識又は慣用の技術手段を含む。明細書と実施例は例示的なものに過ぎず、本発明の実際の範囲と精神は下記請求項により与えられる。
【０１２０】
ここで理解すべきことは、本発明は既に上記のように説明され、図面に示された精確な構成に限定されず、その範囲を逸脱しない限りにおいて様々な修正や変更を行うことができる。本発明の範囲は添付の特許請求の範囲のみにより限定される。
【図１】
0006293984.tif 000002
【図２】
0006293984.tif 000003
【図３ａ】
0006293984.tif 000004
【図３ｂ】
0006293984.tif 000005
【図３ｃ】
0006293984.tif 000006
【図３ｄ】
0006293984.tif 000007
【図４】
0006293984.tif 000008
【図５ａ】
0006293984.tif 000009
【図５ｂ】
0006293984.tif 000010
【図６】
0006293984.tif 000011
【図７】
0006293984.tif 000012
【図８】
0006293984.tif 000013
【図９】
0006293984.tif 000014
【図１０】
0006293984.tif 000015
【図１１】
0006293984.tif 000016
【図１２】
0006293984.tif 000017